(57)【要約】【課題】この発明は簡単な構造で利用者の頭部などを持ち上げることができるようにしたマットレス装置を提供することにある。【解決手段】長手方向の一端部の上面に頭部を位置させて利用者が利用するマットレス装置において、折り曲げ可能なスプリングユニット５と、このスプリングユニットの外周部の少なくとも両側に一体的に設けられた固定杆状部材１１と、回動可能かつ所定の回動角度で保持可能に連結された一対のアームを有し、一方のアームが上記固定杆状部材の端部に取付けられたヒンジ機構１３と、このヒンジ機構の他方のアームに連結されて上記クッション体の少なくとも一端部の外周部に一体的に設けられ上記ヒンジ機構によって回動上昇させることで上記クッション体の少なくとも一端部を屈曲させる可動杆状部材１２と、上記クッション体を被覆した外装地とを具備する。【選択図】    図４
2004261214.tif 000002
【特許請求の範囲】
【請求項１】
長手方向の一端部の上面に頭部を位置させて利用者が利用するマットレス装置において、
折り曲げ可能なクッション体と、
このクッション体の外周部の少なくとも両側に一体的に設けられた固定杆状部材と、
回動可能かつ所定の回動角度で保持可能に連結された一対の取付け部を有し、一方の取付け部が上記固定杆状部材の端部に取付けられたヒンジ機構と、
このヒンジ機構の他方の取付け部に連結されて上記クッション体の少なくとも一端部の外周部に一体的に設けられ上記ヒンジ機構によって回動上昇させることで上記クッション体の少なくとも一端部を屈曲させる可動杆状部材と、
上記クッション体を被覆した外装地と
を具備したことを特徴とするマットレス装置。
【請求項２】
上記固定杆状部材と可動杆状部材とはほぼコ字状をなしていて、上記クッション体の両側の一端部側に位置する両端部が上記ヒンジ機構によって連結されていることを特徴とする請求項１記載のマットレス装置。
【請求項３】
上記固定杆状部材は上記クッション体の両側部にそれぞれ設けられた直杆状をなしていて、この固定杆状部材の両端に上記可動杆状部材が上記ヒンジ機構によって逆方向に回動可能に連結されていることを特徴とする請求項１記載のマットレス装置。
【請求項４】
上記可動杆状部材は複数の部分を有し、この複数の部分は上記固定杆状部材に順次ヒンジ機構によって連結されていることを特徴とする請求項２または３記載のマットレス装置。
【請求項５】
上記クッション体はスプリングユニットであって、上記固定杆状部材と上記可動杆状部材とは、上記スプリングユニットの外周部に位置するばね体のコイル部に保持手段によって一体的に保持されていることを特徴とする請求項１記載のマットレス装置。
【請求項６】
上記クッション体は発泡弾性体であって、上記固定杆状部材と上記可動杆状部材とは、上記発泡弾性体の外周部に形成された保持溝に挿入保持されていることを特徴とする請求項１記載のマットレス装置。
【請求項７】
上記クッション体の下面にはボトムクッション体が設けられ、
上記外装地は上記クッション体と上記ボトムクッション体とを一体的に被覆するとともに、上記クッション体の上記可動杆状部材によって屈曲される部分は上記ボトムクッション体と分けて被覆されていることを特徴とする請求項１記載のマットレス装置。
【請求項８】
２つのクッション体が幅方向に並設され、
上記外装地は２つのクッション体を一体的に被覆するとともに、各クッション体の上記可動杆状部材によって屈曲される部分は別々に被覆されていることを特徴とする請求項１記載のマットレス装置。
【請求項９】
上記保持手段は、上記スプリングユニットの下面若しくは上面に周辺部を上記スプリングユニットの周辺部から延出させて設けられた保持布であって、この保持布は周辺部が上記固定杆状部材及び可動杆状部材に巻回されるとともに、その巻回部分が上記スプリングユニットの周辺部にクリップで連結固定されていることを特徴とする請求項５記載のマットレス装置。
【請求項１０】
上記クッション体はスプリングユニットであって、このスプリングユニットは１本の線材によって複数のばね部が軸線をほぼ平行にして連続して形成された複数のばね体を所定方向に並設して構成されていることを特徴とする請求項１記載のマットレス装置。
【請求項１１】
上記ヒンジ機構によって連結された固定杆状部材と可動杆状部材は、上記スプリングユニットの平面形状よりも小さな矩形枠状をなしていて、これらの杆状部材は上記スプリングユニットの周辺部に位置するばね体のコイル部の巻き線間に挿入保持されていることを特徴とする請求項５記載のマットレス装置。
【発明の詳細な説明】
【０００１】
【発明の属する技術分野】
この発明はベッドなどに用いられるマットレス装置に関する。
【０００２】
【従来の技術】
たとえば、ベッドに用いられるマットレス装置は矩形板状に形成されたスプリングユニットや発泡弾性体などのクッション体を有し、このクッション体を外装地で被覆して構成されている。
【０００３】
マットレス装置の上面に仰臥した利用者は、仰臥した姿勢で読書をしたり、テレビを見ることがある。その場合、頭部を水平状態よりも、わずかに持ち上げた状態の方が楽に読書をしたり、テレビを見ることができる。
【０００４】
従来のマットレス装置では、利用者の頭部を上げた状態で保持するということができないから、利用者が頭部を上げるためには、枕の下に座布団を折り畳んで挟むということを行なっていた。しかしながら、そのようにして頭部を持ち上げるようにしたのでは安定性が悪いため、疲れ易いということがある。
【０００５】
【発明が解決しようとする課題】
マットレス装置が用いられるベッドには、マットレス装置を載置した床板を複数に分割し、利用者の上半身に対応する部分を起伏駆動できるようにした、いわゆる起床式ベッドが知られている。起床式ベッドによれば、床板の一部を起上させることで、利用者の上半身を起こすことが可能である。
【０００６】
しかしながら、起床式ベッドの場合、床板の一部を起伏駆動するために駆動機構が必要となるから、この駆動機構をベッドに組み込むためには構成の複雑化やコスト上昇、さらにはベッドの大型化などを招くということがある。
【０００７】
この発明は、簡単な構造で少なくとも利用者の頭部を持ち上げることができるようにしたマットレス装置を提供することにある。
【０００８】
【課題を解決するための手段】
この発明は、長手方向の一端部の上面に頭部を位置させて利用者が利用するマットレス装置において、
折り曲げ可能なクッション体と、
このクッション体の外周部の少なくとも両側に一体的に設けられた固定杆状部材と、
回動可能かつ所定の回動角度で保持可能に連結された一対の取付け部を有し、一方の取付け部が上記固定杆状部材の端部に取付けられたヒンジ機構と、
このヒンジ機構の他方の取付け部に連結されて上記クッション体の少なくとも一端部の外周部に一体的に設けられ上記ヒンジ機構によって回動上昇させることで上記クッション体の少なくとも一端部を屈曲させる可動杆状部材と、
上記クッション体を被覆した外装地と
を具備したことを特徴とするマットレス装置にある。
【０００９】
上記固定杆状部材と可動杆状部材とはほぼコ字状をなしていて、上記クッション体の両側の一端部側に位置する両端部が上記ヒンジ機構によって連結されていることが好ましい。
【００１０】
上記固定杆状部材は上記クッション体の両側部にそれぞれ設けられた直杆状をなしていて、この固定杆状部材の両端に上記可動杆状部材が上記ヒンジ機構によって逆方向に回動可能に連結されていることが好ましい。
【００１１】
上記可動杆状部材は複数の部分を有し、この複数の部分は上記固定杆状部材に順次ヒンジ機構によって連結されていることが好ましい。
【００１２】
上記クッション体はスプリングユニットであって、上記固定杆状部材と上記可動杆状部材とは、上記スプリングユニットの外周部に位置するばね体のコイル部に保持手段によって一体的に保持されていることが好ましい。
【００１３】
上記クッション体は発泡弾性体であって、上記固定杆状部材と上記可動杆状部材とは、上記発泡弾性体の外周部に形成された保持溝に挿入保持されていることが好ましい。
【００１４】
上記クッション体の下面にはボトムクッション体が設けられ、
上記外装地は上記クッション体と上記ボトムクッション体とを一体的に被覆するとともに、上記クッション体の上記可動杆状部材によって屈曲される部分は上記ボトムクッション体と分けて被覆されているこが好ましい。
【００１５】
２つのクッション体が幅方向に並設され、
上記外装地は２つのクッション体を一体的に被覆するとともに、各クッション体の上記可動杆状部材によって屈曲される部分は別々に被覆されていることが好ましい。
【００１６】
上記保持手段は、上記スプリングユニットの下面若しくは上面に周辺部を上記スプリングユニットの周辺部から延出させて設けられた保持布であって、この保持布は周辺部が上記固定杆状部材及び可動杆状部材に巻回されるとともに、その巻回部分が上記スプリングユニットの周辺部にクリップで連結固定されていることが好ましい。
【００１７】
上記クッション体はスプリングユニットであって、このスプリングユニットは１本の線材によって複数のばね部が軸線をほぼ平行にして連続して形成された複数のばね体を所定方向に並設して構成されていることが好ましい。
【００１８】
上記ヒンジ機構によって連結された固定杆状部材と可動杆状部材は、上記スプリングユニットの平面形状よりも小さな矩形枠状をなしていて、これらの杆状部材は上記スプリングユニットの周辺部に位置するばね体のコイル部の巻き線間に挿入保持されていることが好ましい。
【００１９】
この発明によれば、可動杆状部材を所定の角度で起立させれば、この可動杆状部材によってクッション体の少なくとも利用者の頭部が載置された部分を屈曲させることができるから、それによって利用者の頭部を持ち上げて保持することが可能となる。
【００２０】
【発明の実施の形態】
以下、図面を参照しながらこの発明の実施の形態を説明する。
【００２１】
図１乃至図６はこの発明の第１の実施の形態を示す。図１はマットレス装置１をベッド２の床板３上に載置した状態を示す斜視図であって、このマットレス装置１は上記ベッド２のヘッドボード４側に位置する一端部１ａを所定の角度で上昇させて保持することができるようになっている。
【００２２】
上記マットレス装置１は、図２に示すようにクッション体としてのスプリングユニット５を有する。このスプリングユニット５は同図と図４（ａ）〜（ｃ）に示すように鼓形状をなした多数のコイルスプリング６を行列状に配置することで、矩形板状をなしている。
【００２３】
スプリングユニット６の長手方向に沿って隣り合うコイルスプリング６は幅方向に沿って設けられたヘリカル線７によって上端面と下端面とが連結されている。なお、図４（ａ）では上端面を連結したヘリカル線７だけを示している。
【００２４】
上記スプリングユニット５の上下面の周縁部には枠線８が図示しないクリップによって取り付けられている。この枠線８はスプリングユニット５の幅方向両側の長手方向一端部で第１の部分８ａと第２の部分８ｂとに分断されている。第１の部分８ａと第２の部分８ｂとはそれぞれほぼコ字状となっている。それによって、スプリングユニット５は枠線８が分断された個所で折り曲げ可能となっている。
【００２５】
なお、上記ヘリカル線７はスプリングユニット５の長手方向に沿って設けるようにしてもよい。また、枠線８の第１の部分８ａと第２の部分８ｂとに分断された箇所は軟質な合成樹脂やゴムなどによって形成された部材、たとえば柱−部上の部材などによって連結するようにしてもよい。
【００２６】
上記スプリングユニット５の外周部には、上記枠線８の第１の部分８ａと対応するコ字状の固定杆状部材１１と、同じく第２の部分８ｂに対応するコ字状の可動杆状部材１２とが後述する保持手段によって上記スプリングユニット５と一体的に設けられている。
【００２７】
上記固定杆状部材１１と可動杆状部材１２とはパイプ材によって形成されていて、これらの上記スプリングユニット５の一端部の両側に位置する両端は、それぞれヒンジ機構１３によって回動可能かつ所定の回動角度で保持可能に連結されている。
【００２８】
ヒンジ機構１３によって連結された上記固定杆状部材１１と可動杆状部材１２とは、上記スプリングユニット５の平面形状よりもわずかに小さな矩形状をなしている。それによって、スプリングユニット５の外周部に設けられた固定杆状部材１１と可動杆状部材１２とは、図２と図３に示すようにスプリングユニット５の周辺部に位置するコイルスプリング６のばね部の軸方向中途部、この実施の形態では下端部の螺旋状の巻き線６ａ間に入り込み、このスプリングユニット６に一体的に保持されている。
【００２９】
上記ヒンジ機構１３は図６に示すように一端が枢軸１６によって枢着された、取付け部としての第１のアーム１７と第２のアーム１８を有する。第１のアーム１７の他端は上記可動杆状部材１２の端部に嵌入固定され、第２のアーム１８の端部は上記固定杆状部材１１の端部に嵌入固定されている。
【００３０】
第１のアーム１７の一端には歯１９が形成され、第２のアーム１８の一端には上記歯１８に係合するストッパ２１がピン２２によって枢支されている。このストッパ２２はばね２３によって上記歯１９に係合する方向に付勢されている。
【００３１】
上記枢軸１６にはカム板２４が回動可能に取付けられている。このカム板２４の外周面には周方向に所定の角度で凹部２５と凸部２６とが形成されている。上記凸部２６の上記枢軸１６からの半径寸法は、上記歯１９の枢軸１６からの半径寸法よりも大きく形成されている。上記第１のアーム１７の一端には、上記歯１９に上記ストッパ２１が係合した状態において、上記凹部２５に位置する係合体２７が設けられている。
【００３２】
それによって、上記歯１９と上記ストッパ２１との係合によって第１のアーム１７を第２のアーム１８に対して所定の回動角度で保持することができる。上記第１のアーム１７を図６に矢印で示す方向に回動させ、この回動にカム板２４をその凹部２５の一端に当接する係合体２７によって連動させれば、このカム板３４の凸部２６に上記ストッパ２１が乗り上げて歯１９との係合が外れる。それによって、上記第１のアーム２７を矢印と逆方向に自由に回動させることができる。
【００３３】
上記第１のアーム１７の矢印と逆方向の回動は上記係合体２７が凹部２５の他端に当接してカム板２４を回動させ、上記ストッパ２１がカム板２４の凸部２６から外れて歯２９に係合するまで、すなわち第１のアーム１７が第２のアーム１８に対してほぼ水平な状態になるまで回動させることができる。
【００３４】
したがって、上記可動杆状部材１２は、上記ヒンジ機構１３により、上記固定杆状部材１１に対して所定の角度で起立した状態で保持可能であるとともに、起立した状態から水平に倒伏させることができるようになっている。
【００３５】
図２と図５に示すように、上記スプリングユニット５の上下面の前面にはそれぞれフェルト３１が設けられている。各フェルト３１の周辺部は枠線８を巻き込むように折り曲げられ、その部分はクリップ３２によって上記枠線８に保持されている。
【００３６】
上記スプリングユニット５の下面に設けられたフェルト３１には保持手段を構成する保持布３３が設けられている。この保持布３３はスプリングユニット５の平面形状よりも十分に大きな矩形状に形成されていて、周辺部がスプリングユニット５の周辺部から外方へ延出されている。
【００３７】
上記保持布３３のスプリングユニット５の周辺部から延出された周辺部は、図２と図３に示すようにスプリングユニット５の周辺部に設けられた固定杆状部材１１と可動杆状部材１２とにこれらの内周側から外周側に向かって巻かれ、スプリングユニット５の下面の周辺部に戻されている。
【００３８】
図５に示すように、上記保持布３３の各杆状部材１１，１２の内周側に向かう部分は第１のクリップ３４によって上記フェルト３１の端部とともに下側の枠線８に連結固定され、内周側から外周側に折り曲げられた部分は第２のクリップ３５によって内周側の部分ととともに上記枠線８に連結固定されている。それによって、固定杆状部材１１と可動杆状部材１２とは、上記保持布３３の周辺部よってスプリングユニット５に一体的に保持されている。
【００３９】
固定杆状部材１１と可動杆状部材１２とがスプリングユニット５に一体的に保持されていることで、可動杆部１２を固定杆部１１に対して所定の角度で回動させれば、その回動にスプリングユニット５の可動杆状部材１２に対応する部分を固定杆状部材１１に対応する部分に対して所定の角度で屈曲させることができる。しかも、保持布３３の周辺部が各杆状部材１１，１２に巻回されているとことで、各杆状部材１１，１２とコイルスプリング６とがぶつかり合って金属音が発生するが防止されている。
【００４０】
さらに、固定杆状部材１１と可動杆状部材１２とは、スプリングユニット５の三方を囲むほぼコ字状となっている。そのため、スプリングユニット５は固定杆状部材１１と可動杆状部材１２戸によって幅方向に捩れるのが防止される。とくに、可動杆状部材１２を上昇させてスプリングユニット５の一端部を上方へ屈曲させた場合、スプリングユニット５の屈曲された部分は幅方向に捩れ易くなるが、上記可動杆状部材１２によって確実に防止することができる。
【００４１】
なお、固定杆状部材１１と可動杆状部材１２とはスプリングユニット５の周辺部に位置するコイルスプリング６の巻き線６ａ間に係合している。そのため、保持布３３を用いなくても、これら杆状部材１１，１２はスプリングユニット５に一体的に係合保持されるから、スプリングユニット５の可動杆部１２に対応する一端部を、可動杆部材１２の回動に連動させて折り曲げることは可能である。
【００４２】
上記スプリングユニット５の上面のフェルト３１と、下面の保持布３３にはそれぞれウレタンフォームなどによって形成された弾性シート３６が積層されている。この積層体は外装地３７によって被覆されている。
【００４３】
上記外装地３７は、図２に示すように上記スプリングユニット５の上面を被覆した上部鏡地３８と、下面を被覆した下部鏡地３９及び外周面を被覆したまち地４０とからなる。各鏡地３８，３９及びまち地４０は表地と裏地との間に弾性シートを挟んだ３層構造となっていて、まち地４０の上下端に各鏡地３８，３９の周辺部がテープエッジ４１によって一体的に縫合されている。
【００４４】
各鏡地３８，３９の裏地の周辺部には帯状のフランジ布４２の幅方向一端が縫合されている。このフランジ布４２は上記弾性シート３６の周辺部を巻き込んで幅方向の他端をスプリングユニット５の周辺部に位置するコイルスプリング６の巻き線６ａにクリップ４３によって連結している。それによって、外装地３７がスプリングユニット５に対してずれ動くのが防止されている。
【００４５】
上記マットレス装置１によれば、スプリングユニット５の外周部に、固定杆状部材１１と可動杆状部材１２とを、コイルスプリング５の巻き線６ａ間に係合させて設け、これら杆状部材１１，１２を保持布３３によって上記スプリングユニット５一体的に保持するようにした。上記固定杆状部材１１と可動杆状部材１２とはヒンジ機構１３によって回動可能かつ所定の回動角度で保持可能に連結されている。
【００４６】
そのため、上記可動杆状部材１２を固定杆状部材１１に対して図４（ｃ）に実線で示す状態から鎖線で示すように上昇方向に回動させて所定の角度で保持すれば、この可動杆状部材１２の回動にスプリングユニット５の上記可動杆状部材１２に対応する一端部を鎖線で示すように連動させ、屈曲させることができる。
【００４７】
スプリングユニット５の一端部を可動杆部材１２によって屈曲させれば、図１に示すようにマットレス装置１の一端部１ａを所定の角度で上昇させて保持することができる。
【００４８】
それによって、図１４（ｂ）に示すように、マットレス装置１の上面に仰臥した利用者Ｕは頭部をわずかに持ち上げた姿勢を楽に維持することができるから、仰臥した状態で読書をしたり、テレビを見るなどのことができる。
【００４９】
図１４（ａ）に示すように利用者Ｕがマットレス装置１上で枕４４を用いて横臥する場合、このマットレス装置１の一端部１ａを上昇させれば、その角度によって頭部が脊柱に対して左右に曲がることがない姿勢をとることができるから、首に負担をかけることなく横臥の姿勢を楽に維持することができる。
【００５０】
このように、マットレス装置１の一端部１ａを、可動杆状部材１２によって所定の角度で上昇させて保持することができるようにした。そのため、マットレス装置１の一端部を上昇させるために、ベッド２の床板３を起伏用の駆動機構によって起伏させる場合に比べ、簡単で、安価な構成とすることができる。
【００５１】
また、マットレス装置１は、スプリングユニット５が外装地３７で被覆されており、しかもスプリングユニット５の一端部を屈曲させるための固定杆状部材１１、可動杆上部材１２或いはヒンジ機構１３が外観的には全く見えない。しかも、各管状部材１１，１２はスプリングユニット５の周辺部に位置するコイルスプリング６の巻き線６ａ間に挿入されているから、マットレス装置１の周辺部から外部に突出するということもない。
【００５２】
そのため、このマットレス装置１は、一端部が折り曲げることができるようになっているにも係わらず、外観的には通常のマットレス装置となんら変わるところがないから、極めて体裁がよいばかりか、上下面のどちらの面を上にしてでも使用することができる。
【００５３】
図７は第１の実施の形態の固定杆状部材１１と可動杆状部材１２との変形例を示す第２の実施の形態である。この実施の形態では、固定杆状部材１１と可動杆状部材１２とがそれぞれ一対の直杆１１ａ，１２ａからなる。これらの直杆１１ａ，１２ａは端部がヒンジ機構１３によって連結されている。そして、連結された各直杆１１ａ，１２ａはスプリングユニット５の幅方向両側に位置するコイルスプリング６の巻き線６ａ間に係合させて設けられている。
【００５４】
上記スプリングユニット５の幅方向両側に位置する各一対の直杆１１ａ，１２ａは、それぞれ丸棒などの保持手段としての連結部材４５によって連結され、スプリングユニット５に一体的に保持されている。
【００５５】
したがって、このような構成であっても、可動杆状部材１２の一対の直杆１２ａを、固定杆状部材１１の一対の直杆１１ａに対してヒンジ機構１３により、所定の角度に回動上昇させれば、スプリングユニット５の上記可動杆状部材１２の一対の直杆１２ａに対応する部分を、これら直杆１２ａに連動させて屈曲上昇させることができる。つまり、固定杆状部材１１と可動杆状部材１２とはコ字状でなく、直杆状であってもよい。
【００５６】
なお、保持手段としては、上記各直杆１１ａ，１２ａをスプリングユニット５の周辺部に位置するコイルスプリング６の巻き線６ａに結束するワイヤや紐などの結束部材であってもよい。
【００５７】
図８乃至図１０はこの発明の第３の実施の形態を示す。この実施の形態のマットレス装置１Ａは、クッション性能を向上させるためにダブルククッションタイプとなっている。すなわち、マットレス装置１Ａは、図９に示すように第１の実施の形態と同じ構成のスプリングユニット５を有し、このスプリングユニット５はボトムクッション体としてのボトムスプリングユニット５１の上面にフェルトなどのシート状の仕切り部材５２を介して積層されている。仕切り部材５２は各スプリングユニット５，５１の長手方向一端部、つまりスプリングユニット５の可動杆状部材１２に対応する部分を除く部分に設けられている。
【００５８】
上記ボトムスプリングユニット５１は、多数のコイルスプリング５３を行列状に配置し、長手方向において隣り合うコイルスプリング５３の上下端面を長手方向と交差する幅方向に沿ってヘリカル線（図示せず）によって連結するととともに、下面の周縁部に枠線５４を設けて構成されている。
【００５９】
上記スプリングユニット５の下面周縁部に設けられた枠線８は、ボトムスプリングユニット５１の上面周縁部の枠線を兼ねているとともに、上記第１の実施の形態のように２つの部分８ａ，８ｂに分断されている。
【００６０】
上記スプリングユニット５の下側の枠線８の一方の部分８ａには、ボトムスプリングユニット５１の周辺部に位置するコイルスプリング５３の上端面が仕切り部材５２の周縁部とともにクリップ（図示せず）によって一体的に結合されている。
【００６１】
ボトムスプリングユニット５１の下面にはシート状の下部弾性シート５６が積層され、スプリングユニット５の上面には上部弾性シート５７が積層されている。そして、この積層体は外装地５８によって被覆されている。
【００６２】
積層された２つのスプリングユニット５，５１の長手方向の一端部である、スプリングユニット５の可動杆状部材１２によって屈曲される部分は、上記外装地５８が上側のスプリングユニット５と下側のボトムスプリングユニット５１とを別々に被覆している。すなわち、積層体の一端部においては、スプリングユニット５は外装地５８によって上面だけでなく下面も被覆され、ボトムスプリングユニット５１は下面だけでなく、上面も被覆されている。
【００６３】
したがって、このような構成によれば、図８に示すように、マットレス装置１Ａの一端部１ａを所定の角度で上昇させて保持することができる。そして、そのときマットレス装置１Ａの一端部１ａに位置するスプリングユニット５とボトムスプリングユニット５１は外装地５８によって別々に被覆されているから、スプリングユニット５の下面やボトムスプリングユニット５１の上面が外部に全く露出しないので、外観的に極めて体裁がよい。
【００６４】
図１１と図１２はこの発明の第４の実施の形態を示すマットレス装置１Ｂの変形例である。この実施の形態のマットレス装置１Ｂは、第１の実施の形態に示す２つのスプリングユニット５を幅方向に並設し、これらスプリングユニット５を外装地６１で被覆して構成されている。つまり、マットレス装置１Ｂはダブルサイズとなっている。
【００６５】
２つのスプリングユニット５の可動杆状部材１２によって屈曲される、マットレス装置１Ｂの一対の一端部１ｂは、それぞれの部分を独立して屈曲させることができるよう、上記外装地６１によって別々に被覆されている。
【００６６】
それによって、マットレス装置１Ｂの一対の一端部１ｂのうち、どちらか一方の一端部１ｂだけを選択的に回動上昇させることができるばかりか、一方の一端部１ｂだけを回動上昇させたときに、その一端部１ｂや他方の一端部１ｂの内部構造、つまりスプリングユニット５が外部に露出することがないから、外観的にも体裁がよい。
【００６７】
図１３（ａ）〜（ｃ）はこの発明の第５の実施の形態を示す、スプリングユニットの変形例である。図１３（ａ）に示すスプリングユニット５Ａは、その長手方向の一端部と他端部とがそれぞれ可動杆状部材１２によって屈曲させることができるようになっている。
【００６８】
すなわち、固定杆状部材１１Ａは直杆状をなしていて、その一端と他端とにそれぞれコ字状の可動杆状部材１２がヒンジ機構１３によって回動可能かつ所定の回動角度で保持可能に連結されている。一方の可動杆状部材１２と他方の可動杆状部材１２とは、同図に矢印で示すように互いに逆方向に回動するよう、ヒンジ機構１３の向きが上下逆方向になっている。
【００６９】
なお、枠線８は直杆状の固定杆状部材１１Ａの両端部に対応する箇所でそれぞれ分断されており、枠線８が各可動杆状部材１２によってスプリングユニット５の両端部を屈曲させる際に邪魔になることがないようになっている。
【００７０】
このように、スプリングユニット５Ａの一端部と他端部とを逆方向に屈曲させることができることで、スプリングユニット５Ａの一方の面と他方の面とのどちらの面を上にして利用する場合であっても、その一端部を上方へ屈曲させて利用者の頭部を持ち上げて保持することができる。
【００７１】
図１３（ｂ）は第１の実施の形態のスプリングユニットの変形例であって、この実施の形態のスプリングユニット５Ｂは一端部が二段階に屈曲させることができるようになっている。すなわち、スプリングユニット５Ｂの外周部に設けられる可動杆状部材１２は、スプリングユニット５Ｂの両側に位置する中途部が複数の部分、この実施の形態では２つの部分１２ｘ，１２ｙ分断されている。
【００７２】
分断された２つの部分１２ｘ，１２ｙは、上記固定杆状部材１１の端部に順次ヒンジ機構１３によって連結されている。これらのヒンジ機構１３は、可動杆状部材１２の２つの部分１２ｘ，１２ｙを同方向に屈曲させるように設けられている。
【００７３】
したがって、図１４（ｃ）に示すように、このような構成のスプリングユニット５Ｂを用いたマットレス装置１Ｃによれば、可動杆状部材１２の２つの部分１２ｘ，１２ｙをそれぞれ上昇方向に屈曲させることで、利用者Ｕの頭部だけでなく、上半身を起こした状態で保持することが可能となる。
【００７４】
図１３（ｃ）に示すスプリングユニット５Ｃは図１３（ａ）と図１３（ｂ）とを組み合わせた構成となっている。すなわち、スプリングユニット５Ｃの両端部がそれぞれ可動杆状部材１２によって逆方向に屈曲させることができるようになっているとともに、一方の可動杆状部材１２は２つの部分１２ｘ，１２ｙからなり、その２つの部分１２ｘ，１２ｙはヒンジ機構１３によって同方向に屈曲可能となっている。なお、枠線８は、それぞれのヒンジ機構１３，１３Ａに対応する部分で分断されている。
【００７５】
したがって、このような構成のスプリングユニット５Ｃによれば、同図に鎖線で示すように屈曲させることが可能となるから、利用者の上半身を起こすとともに、脚部を屈曲させた状態とすることができる。
【００７６】
すなわち、従来は床板を背上げ駆動機構によって起伏させることによって行なっていた動作を、マットレス装置を構成するスプリングユニット５Ｃによって行なうことが可能となる。
【００７７】
図１５はこの発明の第６の実施の形態を示す。この実施の形態はスプリングユニットを構成するばね体の変形例である。すなわち、スプリングユニット５Ｄを構成するばね体にはコイルスプリングに代わり連続ばね６１が用いられている。この連続ばね６１は複数のコイル部６２を有する。複数のコイル部６２は、１本の線材によって軸線をほぼ平行にしている。隣り合う一対のコイル部６２は、中途部の巻き線が係合しているとともに、上端は上部連結杆６３によって連続され、下端は下部連結杆６４によって連続されている。
【００７８】
並設された複数の連続ばね６１は、並設方向と交差する方向に沿って設けられたヘリカル線６５によって連結されている。このスプリングユニット５Ｄの上下面の周縁部には、上記第１の実施の形態と同様、枠線８がクリップ６６によって取付けられている。枠線８は、詳細は図示しないが、ヒンジ機構１３によって連結された固定杆部材１１と可動杆部材１２との連結部分に対応する箇所で分断されている。
【００７９】
図１５はスプリングユニット５Ｄを下面側から見た図で、可動杆状部材１２が設けられた端部はヒンジ機構１３によって同図で矢印で示す方向に屈曲される。
【００８０】
上記固定杆状部材１１と可動杆状部材１２とはスプリングユニット５Ｄの周辺部に位置するコイル部６２の巻き線間に挿入されて第１の実施の形態と同様な保持手段によって保持される。
【００８１】
したがって、スプリングユニット５Ｄがコイルスプリング以外のばね体である、連続ばね６１によって構成されていても、そのスプリングユニット５Ｄの一端部を可動杆状部材上昇方向に屈曲させることが可能である。
【００８２】
図１６と図１７はこの発明の第７の実施の形態を示す。この実施の形態のマットレス装置１Ｃは、クッション体として上記各実施の形態に示されたスプリングユニットに代わり、軟質或いは半硬質の発泡弾性体７１によって形成されている。この発泡弾性体７１は矩形板状に成形されていて、その外周面には全長にわたって保持手段を構成する保持溝７２が形成されている。
【００８３】
上記保持溝７２にはパイプ材をコ字状に曲成した固定杆状部材１１と可動杆状部材１２とが弾性的に圧入保持されている。固定杆状部材１１と可動杆状部材１２との両端部はそれぞれヒンジ機構１３によって回動可能かつ所定の回動角度で保持可能に連結されている。そして、上記発泡弾性体７１は外装地７３によって被覆されている。
【００８４】
このような構成のマットレス装置１Ｃによれば、可動杆状部材１２を固定杆状部材１１に対してヒンジ機構１３によって所定の回動角度で屈曲させれば、発泡弾性体７１の可動杆状部材１２に対応する部分が、可動杆状部材１２と保持溝７２との係合によって弾性的に屈曲させられる。したがって、マットレス装置１Ｃの一端部を図１７に鎖線で示すように屈曲させることができる。
【００８５】
すなわち、クッション体としてはスプリングユニットでなく、発泡弾性体であっても、この発明を適用することができる。
【００８６】
なお、上記各実施の形態において、クッション体がスプリングユニットの場合、固定杆状部材と可動杆状部材とをウレタンフォームなどの樹脂シートで被覆したり、発泡樹脂を吹き付けるようにしてもよく、そのような構成によれば、各管状部材とスプリングユニットのばね体とがぶつかり合って騒音を発生するのを防止することができる。
【００８７】
【発明の効果】
以上のようにこの発明によれば、可動杆状部材を所定の角度で起立させれば、この可動杆状部材によってクッション体の少なくとも利用者の頭部が載置された部分を屈曲させることができるから、それによって利用者の頭部を持ち上げて保持することができる。
【００８８】
すなわち、従来のようにベッドの床板を起伏駆動機構を用いて起伏させなくても、マットレス装置の少なくとも一端部を起伏せることができるため、コスト的に有利である。
【図面の簡単な説明】
【図１】この発明の第１の実施の形態に係るマットレス装置が用いられたベッドの斜視図。
【図２】マットレス装置の一部分を示す断面図。
【図３】固定杆状部材と可動杆状部材とをスプリングユニットに保持する手段を拡大して示した断面図。
【図４】（ａ）はスプリングユニットの概略的構成を示す斜視図、（ｂ）はスプリングユニットの側面図、（ｃ）はスプリングユニットの正面図。
【図５】固定杆状部材と可動杆状部材とをスプリングユニットに保持する構造を一部破断して示す斜視図。
【図６】ヒンジ機構の一部断面した側面図。
【図７】この発明の第２の実施の形態を示すスプリングユニットの概略的構成を示す斜視図。
【図８】この発明の第３の実施の形態に係るマットレス装置が用いられたベッドの斜視図。
【図９】図８に示すマットレス装置の断面図。
【図１０】図９に示すマットレス装置に用いられたスプリングユニットの斜視図。
【図１１】この発明の第４の実施の形態に係るマットレス装置が用いられたベッドの斜視図。
【図１２】図１１に示すマットレス装置に用いられたスプリングユニットの斜視図。
【図１３】（ａ）〜（ｃ）はそれぞれこの発明の第５の実施の形態を示すスプリングユニットの側面図。
【図１４】この発明のマットレス装置の使用形態の説明図。
【図１５】この発明の第６の実施の形態を示すスプリングユニットの一部分を示す斜視図。
【図１６】この発明の第７の実施の形態を示すマットレス装置の一部破断した斜視図。
【図１７】図１６に示すマットレス装置の側面図。
【符号の説明】
５…スプリングユニット、６…コイルスプリング、１１…固定杆状部材、１２…可動杆上部材、１３…ヒンジ機構、１７…第１のアーム、１８…第２のアーム、３３…保持布（保持手段）、３７…外装地、４５…紐状部材（保持手段）、７１…発泡弾性体、７２…保持溝（保持手段）。
【図１】
2004261214.tif 000003
【図２】
2004261214.tif 000004
【図３】
2004261214.tif 000005
【図４】
2004261214.tif 000006
【図５】
2004261214.tif 000007
【図６】
2004261214.tif 000008
【図７】
2004261214.tif 000009
【図８】
2004261214.tif 000010
【図９】
2004261214.tif 000011
【図１０】
2004261214.tif 000012
【図１１】
2004261214.tif 000013
【図１２】
2004261214.tif 000014
【図１３】
2004261214.tif 000015
【図１４】
2004261214.tif 000016
【図１５】
2004261214.tif 000017
【図１６】
2004261214.tif 000018
【図１７】
2004261214.tif 000019